(57)【要約】【課題】犯人に対する高い威嚇効果を発揮する防犯用スプレー装置を提供する。【解決手段】非致死性の防犯用組成物が充填された圧力容器１と、上記防犯用組成物を噴射するノズル３と、上記ノズル３からの噴射操作を行うための操作レバー１７と、警告音を発する警告ブザー８とを備え、上記操作レバー１７の近傍に上記警告ブザー８から警告音の発生を開始するマイクロスイッチ７を設けたため、使用するときには、スプレー装置の設置場所から取り上げて犯人に向けてダメージ成分を噴射するときにマイクロスイッチ７をオン状態にして警告音を発することができ、犯人に対する高い威嚇効果を発揮する。【選択図】図１
2008192043.tif 000002
【特許請求の範囲】
【請求項１】
防犯用組成物が充填されたボンベと、上記防犯用組成物を噴射する噴射口と、上記噴射口からの噴射操作を行うための操作部と、警告音を発する警告ブザーとを備え、上記操作部の近傍に上記警告ブザーから警告音の発生を開始するスイッチが設けられていることを特徴とする防犯用スプレー装置。
【請求項２】
上記操作部の操作による噴射口からの防犯用組成物の噴射開始の前に、上記スイッチのオンを可能とするよう構成されている請求項１記載の防犯用スプレー装置。
【請求項３】
上記操作部は把持によって噴射を開始する操作レバーであり、上記操作レバーは誤操作を防止する安全ピンを備え、上記スイッチは安全ピンを抜くことによりオン状態になるように構成されている請求項１または２記載の防犯用スプレー装置。
【請求項４】
上記操作レバーは、起立状態で把持によるレバー操作を規制するとともに倒れた状態でレバー操作を可能とする起倒杆を備えており、上記スイッチは安全ピンを抜いて起倒杆が倒れることによりオン状態になるように構成されている請求項３記載の防犯用スプレー装置。
【発明の詳細な説明】
【技術分野】
【０００１】
本発明は、ボンベ内に充填された非致死性ダメージ成分等の防犯用組成物を噴射する防犯用スプレー装置に関するものである。
【背景技術】
【０００２】
従来から、店頭や学校・金融機関等に設置される防犯スプレー装置として、下記の特許文献１および２等に開示されたものがある。
【０００３】
特許文献１に記載のものは、唐辛子パウダーが充填されたスプレー缶と、スプレー缶が保持されるスプレーホルダが設けられたベースに警告ブザーが設けられ、スプレーホルダーからスプレー缶を引き抜くと、ベースに設けられた警告ブザーから警告音を発するようになっている。特許文献２に記載のものは、液状のダメージ成分と蓄圧ガスが充填されたボンベに、操作レバーとバルブおよび噴射ノズルが設けられ、操作レバーを握ることで噴射ノズルからダメージ成分を噴射するようになっている。
【特許文献１】特開２００３−２１７０４４
【特許文献２】特開２００４−１９１０２３
【発明の開示】
【発明が解決しようとする課題】
【０００４】
上記特許文献１の防犯用スプレー装置は、いざ実際に使用するときには、室内の所望の場所に設置したベースからスプレー缶を取り外して犯人に向けてスプレーすることが行われる。ところが、スプレーホルダが設けられたベースに警告ブザーが設けられていることから、警告音は発せられるもののその警告音はもともとの設置場所にあるベースから発せられて犯人に向けたスプレー缶とは全く違う場所で音が鳴り続けることになる。特にこの種のスプレー装置は、逃げようとする犯人を追いかけながらスプレー缶を犯人に向けてスプレーするものであるため、もとの設置場所で警告音が鳴り続けても犯人に対する威嚇効果としては極めて乏しい。また、スプレー缶を取り上げにいっただけで警告音が出てしまい、その時点で警告音を聞いた犯人が逃亡を開始する確率が高く、スプレー缶を持って追いかけながら犯人めがけて噴射しなければならなくなるため、ダメージ成分の命中率も低下する傾向にある。
【０００５】
本発明は、このような事情に鑑みなされたもので、犯人に対する高い威嚇効果を発揮する防犯用スプレー装置の提供を目的とする。
【課題を解決するための手段】
【０００６】
上記目的を達成するため、本発明の防犯用スプレー装置は、防犯用組成物が充填されたボンベと、上記防犯用組成物を噴射する噴射口と、上記噴射口からの噴射操作を行うための操作部と、警告音を発する警告ブザーとを備え、上記操作部の近傍に上記警告ブザーから警告音の発生を開始するスイッチが設けられていることを要旨とする。
【発明の効果】
【０００７】
すなわち、本発明の防犯用スプレー装置は、警告音を発する警告ブザーを備え、操作部の近傍に上記警告ブザーから警告音の発生を開始するスイッチが設けられているため、いざ使用するときには、スプレー装置の設置場所から取り上げて犯人に向けて防犯用組成物を噴射するときにスイッチをオン状態にして警告音を発することができる。そして、警告音を出すことによって、犯人は一瞬止まって音の出る方を振り返る可能性が高く、防犯用組成物の命中率を高めるとともに、命中したときに与えるダメージ等も大きくすることができる。また、犯人を追いかけながら防犯用組成物を噴射するときも警告音は鳴りつづけるので、犯人に対する高い威嚇効果を発揮する。
【０００８】
本発明において、上記操作部の操作による噴射口からの防犯用組成物の噴射開始の前に、上記スイッチのオンを可能とするよう構成されている場合には、警告音によって犯人が一瞬止まって音の出る方を振り返ったときに、防犯用組成物の噴射を開始し得ることから、防犯用組成物の命中率を高めるとともに、命中したときに与えるダメージ等も大きくすることができる。
【０００９】
本発明において、上記操作部は把持によって噴射を開始する操作レバーであり、上記操作レバーは誤操作を防止する安全ピンを備え、上記スイッチは安全ピンを抜くことによりオン状態になるように構成されている場合には、操作レバーの操作を可能とする安全ピンを抜く動作により警告音が鳴り始めることから、上記操作レバーの操作による防犯用組成物の噴射開始の直前にスイッチがオンとなることから、警告音によって犯人が一瞬止まって音の出る方を振り返ったときに、防犯用組成物の噴射を開始し得ることから、防犯用組成物の命中率を高めるとともに、命中したときに与えるダメージ等も大きくすることができる。
【００１０】
本発明において、上記操作レバーは、起立状態で把持によるレバー操作を規制するとともに倒れた状態でレバー操作を可能とする起倒杆を備えており、上記スイッチは安全ピンを抜いて起倒杆が倒れることによりオン状態になるように構成されている場合には、操作レバーの操作を可能とする安全ピンを抜く動作によって起倒杆が倒れて警告音が鳴り始めることから、上記操作レバーの操作による防犯用組成物の噴射開始の直前にスイッチがオンとなることから、警告音によって犯人が一瞬止まって音の出る方を振り返ったときに、防犯用組成物の噴射を開始し得ることから、防犯用組成物の命中率を高めるとともに、命中したときに与えるダメージ等も大きくすることができる。
【発明を実施するための最良の形態】
【００１１】
図１〜図３は、本発明の一実施の形態の防犯用スプレー装置を示す図である。図１は断面図、図２は要部の正面図、図３は要部の断面図である。
【００１２】
この防犯用スプレー装置は、密閉型の圧力容器１の上部に噴射装置１５が搭載されて構成されている。上記圧力容器１は、本発明のボンベとして機能するものであり、非致死性のダメージ成分と蓄圧ガスとが充填されている。
【００１３】
上記圧力容器１は、密閉可能であってしかも蓄圧ガスを充填可能に構成されている。蓄圧ガスを充填保持する程度の強度は、例えば、圧力容器１を金属製とすることで容易に実現できる。金属の種類は、鉄、ステンレス、アルミなど公知で入手容易な金属を適宜選択して用いることができる。
【００１４】
圧力容器１には、蓄圧ガスや防犯用組成物を充填、補充可能な開口部を有し、当該開口部は、開閉可能に形成されている。通常、開口部には、内部の組成物の噴射を可能とする噴射装置１５が装着されており、当該噴射装置１５が開口部に対して脱着可能に形成されている。
【００１５】
圧力容器１の形状や大きさは特に限定しないが、操作時の取り扱い等を考慮すると、容器容量が１〜２Ｌ程度であることが好ましく、例えば、細長い筒状体あるいは球状体とすることができる。筒状体は外径が３０〜１５０ｍｍ程度で高さが１００〜４００ｍｍ程度とすることができる。また、球状体は外径が１００〜２００ｍｍ程度とすることができる。
【００１６】
上記圧力容器１内に充填される防犯用組成物としては、例えば、ダメージ成分やマーキング成分があげられる。
【００１７】
上記ダメージ成分としては、たとえば、目や鼻や喉などの粘膜部分を刺激し、催涙の他、くしゃみやせきを誘導するような成分を用いることができる。本組成物においては、当該ダメージ成分は、それ自体致死性がない（致死量が非常に多量）か、あるいは致死量を下回るように含有されている。
【００１８】
このような成分として、具体的には、一般的な催涙成分の他、唐辛子、唐辛子抽出液（カプサイシン）、こしょう、タバスコ、酢マスタード、ワサビ系マスタードオイル等のような調味料や香辛料を挙げることができる。なお、これらのダメージ成分は、粉末であってもエキスであっても液体であっても構わない。このようなダメージ成分は１種あるいは２種以上を組み合わせて用いることができる。好ましくは、唐辛子抽出液（カプサイシン）とワサビ系マスタードオイルを用いる。
【００１９】
本組成物には、ダメージ成分の他、色、匂いなどにより容易に検出可能であって衝突物体に対して残留可能なマーキング成分を含有することもできる。マーキング成分も同時に含有させることにより、本噴射器の利点を有効利用でき、しかも犯罪捜査等に高い効果を得ることができる。なお、ダメージ成分を含まないマーキング成分含有組成物を圧力容器１に充填してマーキング用噴射器とすることもできる。
【００２０】
マーキング成分としての着色料は、染料あるいは顔料とすることができる。染料及び顔料をそのまま使用することもできるし、水性あるいは油性塗料等として販売されているものを使用することもできる。塗料を用いる場合、好ましくは、水性塗料である。
【００２１】
着色料による色は、好ましくは、黄色、赤色、緑色、オレンジ色などの明色とする。また、好ましくは、別途蛍光剤を併用するか、蛍光着色料を用いる。蛍光剤あるいは蛍光着色料の使用により暗中においても容易にマーキング能力を発揮することができる。なお、本組成物において、着色料は、塗料という複合的形態で含まれることが多い。
【００２２】
また、皮膚表面に存在する生体物質と反応して呈色する試薬などもマーキング成分として用いることができる。例えば、タンパク質と反応するニンヒドリン試薬などを使用することができる。
【００２３】
匂いを付与するマーキング成分としては、各種香料を用いることができる。香料は、ヒトのみならず警察犬などを利用した追跡に効果を発揮する。香料の種類は特に限定しないが、一般に使用されているものと区別が容易であることが好ましい。好ましくは、刺激性のある香料や異臭性のある香料である。具体的には、刺激臭を有する香料としては、植物由来の甘草（カンゾウ）、益智（ヤクチ）、生姜（ショウキュウ）等の薬草や、木香（モッコウ）、丁字（チョウジ）等の香辛料を用いることができる。また、異臭性のある香料としては、桂皮（ケイヒ）等を挙げることができる。これらの香料は、液状、粉末、粒状のいずれであってもよい。香料は、１種あるいは２種以上を組み合わせて用いることができる。２種以上の組み合わせとすることにより、検出性を高めることができる。
【００２４】
本組成物は、ダメージ成分とマーキング成分の少なくともいずれかを含有していればよいが、少なくとも１つのダメージ成分を含有するものが好ましく、より好ましくは、着色料を含有し、さらに好ましくは、着色料と香料とを含有したものである。
【００２５】
本組成物は液状である。本組成物に含まれる液状の媒体としては、特に限定しないが、水、アルコールなどの安全性が高い溶媒を使用することが好ましい。また、着色料として塗料を用いる場合、塗料のビヒクルも結果的に本組成物の液状媒体の一成分となる。
また、本組成物には、エチレングリコールなどのアルコール類を含む各種不凍液を媒体の一部あるいは全部とすることができる。この場合、寒冷地や寒冷期における使用時においても、確実にターゲティング能力を確保することができる。また、本組成物には、界面活性剤を含めることができる。界面活性剤は主として組成物の粘度を一定以上に維持するために使用される。
【００２６】
上記蓄圧ガスとしては、安全性の高いガスであることが好ましい。例えば、空気や炭酸ガスの他、窒素ガス等の不活性ガスとすることができる。好ましくは、窒素ガスである。上記蓄圧ガスは、窒素等のガスが圧縮されて圧力容器１に充填される。
【００２７】
上記噴射装置１５は、圧力容器１内に防犯用組成物とともに充填される蓄圧ガスの圧力により、防犯用組成物を外部に噴射させる装置である。上記噴射装置１５は、特に限定しないで各種公知の形態を採用することができる。この例では、圧力容器１の内部においておおよそその底部にまで到達して液状の防犯用組成物を噴射側へと送る導出管２と、弁室１４を介して導出管２と連通し、弁室１４内の弁１２の開閉により防犯用組成物を噴射するノズル３と、上記弁１２の開閉操作を行なうための操作部としての操作レバー１７とを備えている。
【００２８】
上記ノズル３は、防犯用組成物を噴射する本発明の噴射口として機能するものであり、拡散を抑えて直線的な噴射軌跡を形成可能に形成されていることが好ましい。すなわち、上記ノズル３は、指向性の高い噴射を可能とするような先端形状を備えている。
【００２９】
上記弁１２は、常時すなわち非使用時は、付勢部材としてのコイルばね１３による付勢力で導出管２とノズル３との連結部位を遮断している。一方、操作レバー１７の把持により、操作杆１１が押し下げられて、コイルばね１３の付勢力に抗してコイルばね１３が圧縮され、弁１２が開くようになっている。これにより、導出管２が弁室１４を介してノズル３と連通し、防犯用組成物が蓄圧ガスの圧力によってノズル３から外部に噴射される。
【００３０】
上記操作レバー１７は、回動レバー４と固定レバー１６とから構成され、噴射口としてのノズル３からの噴射操作を行うための本発明の操作部として機能するものであり、把持によって噴射を開始するよう構成されている。すなわち、ノズル３の根元近傍に根元部が固定されて後方に延びる固定レバー１６の上記根元部に、回動レバー４が上下回動可能に軸支されている。そして、使用するときは、人差し指から小指までの４本の指を固定レバー１６に掛けるとともに、親指の根元を回動レバー４に掛けた状態から強く握ることにより回動レバー４を下向きに回動させる。この回動により操作杆１１が押し下げられて弁１２が開くようになっている。
【００３１】
そして、上記防犯用スプレー装置は、警告音を発する警告ブザー８をさらに備え、上記操作レバー１７の近傍に上記警告ブザー８から警告音の発生を開始するスイッチとしてのマイクロスイッチ７が設けられている。
【００３２】
より詳しく説明すると、上記固定レバー１６の根元部近傍には、起立状態と倒伏状態との間で前後に回動する起倒杆５が軸支されている。起倒杆５は、起立状態で操作レバー１７の把持によるレバー操作を規制するとともに、倒れた状態で操作レバー１７のレバー操作を可能とするように構成されている。
【００３３】
そして、使用しない状態では、上記起倒杆５が起立状態にされるとともに、この起立状態において、起倒杆５および操作レバー４に形成された貫通穴に安全ピン６が挿通されることにより、回動レバー４の下方への回動動作が規制され、操作レバー１７の誤操作を防止するようになっている。
【００３４】
上記起倒杆５にマイクロスイッチ７（図３には示していない）が取り付けられ上記マイクロスイッチ７におけるオンオフ信号をコネクタ１０を介して警告ブザー８に伝達して警告ブザー８のオンオフを行ない得るようになっている。
【００３５】
そして、使用しない状態では、上記起倒杆５が起立状態にされて安全ピン６が挿通されることにより起倒杆５の起立状態が維持される。この状態で、起倒杆５に取り付けられたマイクロスイッチ７のオンオフ操作部が回動レバー４に当接して押され、警告ブザー８をオフ状態にするようになっている。
【００３６】
一方、使用する際には、安全ピン６を抜くことにより、起倒杆５が後方に倒れ、マイクロスイッチ７のオンオフ操作部が回動レバー４から離れて警告ブザー８をオン状態にして警告音を発するようになっている。
【００３７】
このように、上記操作レバー１７の操作によるノズル３からの防犯用組成物の噴射開始の前に、上記マイクロスイッチ７のオンを可能とするよう構成されている。なお、図２において符号９は圧力容器１内部の圧力を示す圧力ゲージである。
【００３８】
上記防犯用スプレー装置を使用するときは、例えば、犯行に及んでいる相手あるいは逃走する相手を狙って組成物を噴射させる。このとき、まず、スプレー装置自体を設置場所から取り上げて安全ピン６を抜く、これにより、上述したように警告ブザー８がオンになって警告音が鳴り始める。そして、操作レバー１７を操作して防犯用組成物を犯人めがけて噴射することが行なわれる。
【００３９】
以上のように、上記防犯用スプレー装置によれば、警告音を発する警告ブザー８を備え、操作レバー１７の近傍に上記警告ブザー８から警告音の発生を開始するマイクロスイッチ７が設けられているため、いざ使用するときには、スプレー装置の設置場所から取り上げて犯人に向けて防犯用組成物を噴射するときにマイクロスイッチ７をオン状態にして警告音を発することができる。そして、警告音を出すことによって、犯人は一瞬止まって音の出る方を振り返る可能性が高く、防犯用組成物の命中率を高めるとともに、命中したときに与えるダメージ等も大きくすることができる。また、犯人を追いかけながら防犯用組成物を噴射するときも警告音は鳴りつづけるので、犯人に対する高い威嚇効果を発揮する。
【００４０】
また、上記操作レバー１７の操作によるノズル３からの防犯用組成物の噴射開始の前に、上記マイクロスイッチ７のオンを可能とするよう構成されているため、警告音によって犯人が一瞬止まって音の出る方を振り返ったときに、防犯用組成物の噴射を開始し得ることから、防犯用組成物の命中率を高めるとともに、命中したときに与えるダメージ等も大きくすることができる。
【００４１】
また、上記操作レバー１７は把持によって噴射を開始するものであり、上記操作レバー１７は誤操作を防止する安全ピン６を備え、上記マイクロスイッチ７は安全ピン６を抜くことによりオン状態になるように構成されているため、操作レバー１７の操作を可能とする安全ピン６を抜く動作により警告音が鳴り始めることから、上記操作レバー１７の操作による防犯用組成物の噴射開始の直前にマイクロスイッチ７がオンとなることから、警告音によって犯人が一瞬止まって音の出る方を振り返ったときに、防犯用組成物の噴射を開始し得ることから、防犯用組成物の命中率を高めるとともに、命中したときに与えるダメージ等も大きくすることができる。
【００４２】
また、上記操作レバー１７は、起立状態で把持によるレバー操作を規制するとともに倒れた状態でレバー操作を可能とする起倒杆５を備えており、上記マイクロスイッチ７は安全ピン６を抜いて起倒杆５が倒れることによりオン状態になるように構成されているため、操作レバー１７の操作を可能とする安全ピン６を抜く動作によって起倒杆５が倒れて警告音が鳴り始めることから、上記操作レバー１７の操作による防犯用組成物の噴射開始の直前にマイクロスイッチ７がオンとなることから、警告音によって犯人が一瞬止まって音の出る方を振り返ったときに、防犯用組成物の噴射を開始し得ることから、防犯用組成物の命中率を高めるとともに、命中したときに与えるダメージ等も大きくすることができる。
【００４３】
また、使用しない状態において、上記起倒杆５が起立状態にされて安全ピン６が挿通され、起倒杆５の起立状態が維持された状態で、起倒杆５に取り付けられたマイクロスイッチ７のオンオフ操作部が回動レバー４に当接して押されて警告ブザー８のオフ状態を維持し、使用する際には、安全ピン６を抜くことにより起倒杆５が後方に倒れ、マイクロスイッチ７のオンオフ操作部が回動レバー４から離れて警告ブザー８をオン状態にして警告音を発するようになっている。このため、使用しないときは確実に警告ブザー８のオフ状態を維持するとともに、いざ使用する際には、安全ピン６を抜いて起倒杆５を倒すことで確実に警告ブザー８をオン状態にして警告ブザー８を鳴らし始めることができるようになっている。
【００４４】
そして、上記防犯用スプレー装置は、圧縮ガスによる蓄圧式であり、かつ指向性の高い噴射を実現することができるため、相手の顔などをめがけて、一直線に正確に狙うことができる。また、かかる噴射の圧力そのものによっても強い衝撃を相手に与えることができる。また、噴射された相手に到達した組成物は、直接相手の口腔、鼻腔、眼等の粘膜に付着され、適当なダメージを付与する。一方、衝撃の反動で周囲に飛散することにより二次的に口、鼻、目等の粘膜に付着され、また、鼻腔や口腔等に吸引され、ダメージを付与する。さらに、マーキング成分が含有されているときには、直接あるいは二次的に相手の表面に付着し、相手をマーキングすることができる。
【００４５】
このように、本防犯用スプレー装置は、高いターゲティング性を有していることから、一次ダメージと二次ダメージとを生じさせて相乗的にダメージを増大させることができる。以上のことから、相手にダメージを与えて身の安全を確保して、警察への通報などの時間を十分確保することができる。また、本防犯用スプレー装置は、離れた距離から操作可能であるので、犯罪遭遇時あるいは犯罪の危機が迫ろうとする時に、自分の身の安全性が高くなっている。
【図面の簡単な説明】
【００４６】
【図１】本発明の一実施形態の防犯用スプレー装置を示す断面図である。
【図２】上記防犯用スプレー装置の要部を示す正面図である。
【図３】上記防犯用スプレー装置の要部を示す断面図である。
【符号の説明】
【００４７】
１：圧力容器
２：導出管
３：ノズル
４：回動レバー
５：起倒杆
６：安全ピン
７：マイクロスイッチ
８：警告ブザー
９：圧力ゲージ
１０：コネクタ
１１：操作杆
１２：弁
１３：コイルばね
１４：弁室
１５：噴射装置
１６：固定レバー
１７：操作レバー
【図１】
2008192043.tif 000003
【図２】
2008192043.tif 000004
【図３】
2008192043.tif 000005